(57)【要約】【課題】ゴルフボールに必要なバックスピン量を有効に発生させることが可能なゴルフクラブヘッドを提供する。【解決手段】ゴルフクラブヘッドは、溝１０２ｂは、第１の湾曲側面１０２ｃと、第１の湾曲側面１０２ｃに対向した第２の湾曲側面１０２ｄと、第１の湾曲側面１０２ｃおよび第２の湾曲側面１０２ｄに接続された底面１０２ｅとを備える。第１の湾曲側面１０２ｃおよび第２の湾曲側面１０２ｄは、それぞれ第１のインボリュート輪郭１０２ｆおよび第２のインボリュート輪郭１０２ｇを有する。第１の湾曲側面１０２ｃと第２の湾曲側面１０２ｄとの間の距離が底面１０２ｅから打球面１０２ａに向かうに従い大きくなる。【選択図】図３
0003152179.tif 000002
【実用新案登録請求の範囲】
【請求項１】
複数の溝が設けられた打撃面を有するゴルフクラブヘッドであって、
前記溝は、
第１の湾曲側面と、
前記第１の湾曲側面に対向した第２の湾曲側面と、
前記第１の湾曲側面および前記第２の湾曲側面に接続された底面と、を備え、
前記第１の湾曲側面および前記第２の湾曲側面は、それぞれ第１のインボリュート輪郭および第２のインボリュート輪郭を有し、
前記第１の湾曲側面と前記第２の湾曲側面との間の距離が前記底面から打球面に向かうに従い大きくなることを特徴とするゴルフクラブヘッド。
【請求項２】
前記第１のインボリュート輪郭は、第１の基準円により形成され、
前記第１の湾曲側面と前記底面とは、第１の交接線で接続し、前記第１の交接線は、前記第１の基準円と接することを特徴とする請求項１に記載のゴルフクラブヘッド。
【請求項３】
前記第２のインボリュート輪郭は、第２の基準円により形成され、
前記第２の湾曲側面と前記底面とは、第２の交接線で接続し、前記第２の交接線は、前記第２の基準円と接することを特徴とする請求項１に記載のゴルフクラブヘッド。
【請求項４】
前記第１のインボリュート輪郭および前記第２のインボリュート輪郭は、それぞれ第１の基準円および第２の基準円により形成され、
前記第１の基準円の半径と前記第２の基準円の半径とは等しいことを特徴とする請求項１に記載のゴルフクラブヘッド。
【請求項５】
前記溝は、仮想平面において面対称であり、前記仮想平面により均等に二等分されることを特徴とする請求項１に記載のゴルフクラブヘッド。
【請求項６】
前記溝の少なくとも１つは、ＵＳＧＡ規格の溝幅を有し、前記ＵＳＧＡ規格の溝幅は、２つの接点間の直線距離であり、２つの接点を通過する対向した接線は、それぞれ前記第１の湾曲側面および前記第２の湾曲側面と接し、前記２つの接線と前記打球面とのなす角度は３０度であり、
前記ＵＳＧＡ規格の溝幅は、０．０３７インチ以下であることを特徴とする請求項５に記載のゴルフクラブヘッド。
【請求項７】
前記溝の少なくとも１つは、ＵＳＧＡ規格の溝深さを有し、前記ＵＳＧＡ規格の溝深さは、前記打球面の延長線と前記底面の最低点との間の垂直距離であり、
前記ＵＳＧＡ規格の溝深さは０．０２０インチ以下であることを特徴とする請求項５に記載のゴルフクラブヘッド。
【請求項８】
前記溝の少なくとも１つは、直線と前記底面の法線との間の角度を有し、
前記直線は、前記第１のインボリュート輪郭または前記第２のインボリュート輪郭と上端点で接し、前記法線と前記底面とは垂直であり、
前記角度は、２８．５度以上４０度以下であることを特徴とする請求項５に記載のゴルフクラブヘッド。
【請求項９】
前記底面は平面状であることを特徴とする請求項１に記載のゴルフクラブヘッド。
【請求項１０】
前記底面は曲面状であることを特徴とする請求項１に記載のゴルフクラブヘッド。
【請求項１１】
前記底面と前記第１の湾曲側面との間に設けられるか、前記底面と前記第２の湾曲側面との間に設けられ、前記第１のインボリュート輪郭および前記第２のインボリュート輪郭と異なる輪郭を有する下部接続領域をさらに備えることを特徴とする請求項１に記載のゴルフクラブヘッド。
【請求項１２】
前記打球面と前記第１の湾曲側面との間に設けられるか、前記打球面と前記第２の湾曲側面との間に設けられ、前記第１のインボリュート輪郭および前記第２のインボリュート輪郭と異なる輪郭を有する上部接続領域をさらに備えることを特徴とする請求項１に記載のゴルフクラブヘッド。
【考案の詳細な説明】
【技術分野】
【０００１】
本考案は、ゴルフクラブヘッドに関し、特に、打球面の溝が特定の形状を有するゴルフクラブヘッドに関する。
【背景技術】
【０００２】
ゴルフの試合では、プレーヤは所望の飛距離に応じて特定のゴルフクラブを選択してゴルフボールの打撃を行っていた。しかし、ゴルフボールの打撃によって得られる飛距離は、ゴルフクラブの選択以外に、ゴルフボールが地面に落下した後の状態により左右される。ゴルフボールが地面に落下した後の移動は、主にゴルフクラブがゴルフボールに与えるバックスピン（ｂａｃｋｓｐｉｎ）量により左右され、高いバックスピンをゴルフボールに与えて落下した後に前方に転がる距離を短くすると、グリーン（ｇｒｅｅｎ）にゴルフボールがのる確率を高めることができる。逆にバックスピン量が少なすぎる場合、ゴルフボールが地面に落下した後に前方に転がる距離が長くなり、ゴルフボールがグリーンから転がり出たり、ホールから離れた場所まで転がったりすることがあった。
【０００３】
そのため打球時に十分なバックスピン量を発生させることができるように、一般にゴルフクラブヘッドの打球面には溝（ｇｒｏｏｖｅ）が設けられている。この溝は、ゴルフボールを打撃する時のゴルフクラブヘッドの打球面とゴルフボールとの接触特性に影響を与え、さらには打撃したゴルフボールのバックスピン量に影響を与えることができる。ゴルフボールを打球した後のバックスピン量を向上させるために、ゴルフクラブヘッドの溝には既に様々なものがあった。しかし、競技の公平性のために試合で使用することができるゴルフクラブヘッドは、一般に全米ゴルフ協会（Ｕｎｉｔｅｄ  Ｓｔａｔｅｓ  Ｇｏｌｆ  Ａｓｓｏｃｉａｔｉｏｎ：ＵＳＧＡ）の規格（例えば、溝の幅もしくは深さ、または溝の間隔）に準拠しなければならなかった。しかし、ゴルフボールの打球面に設けた溝を規格に準拠するように形成した場合、ゴルフボールに好適なバックスピンを発生させることが非常に困難となり、逆に、十分なバックスピン量を発生させることが可能な溝は、この規格に準拠しなくなる虞があった。つまり、ＵＳＧＡの規格に準拠するように溝を形成した場合、バックスピン量が低減してしまう虞があった。
【０００４】
そのため、ＵＳＧＡの規格が定めるゴルフクラブヘッドの打球面に設ける溝の規格に準拠させながら、ゴルフボールに必要なバックスピン量を有効に発生させることが可能なゴルフクラブヘッドが求められていた。
【考案の概要】
【考案が解決しようとする課題】
【０００５】
本考案の目的は、ＵＳＧＡの規格が定めるゴルフクラブヘッドの打球面に設ける溝の規格に準拠させながら、ゴルフボールに必要なバックスピン量を有効に発生させることが可能なゴルフクラブヘッドを提供することにある。
【課題を解決するための手段】
【０００６】
上述の目的を達成するため、請求項１の考案では、複数の溝が設けられた打撃面を有するゴルフクラブヘッドであって、溝は、第１の湾曲側面と、第１の湾曲側面に対向した第２の湾曲側面と、第１の湾曲側面および第２の湾曲側面に接続された底面と、を備え、第１の湾曲側面および第２の湾曲側面は、それぞれ第１のインボリュート輪郭および第２のインボリュート輪郭を有し、第１の湾曲側面と第２の湾曲側面との間の距離が底面から打球面に向かうに従い大きくなることを特徴とする。
【０００７】
請求項２の考案では、第１のインボリュート輪郭は、第１の基準円により形成され、第１の湾曲側面と底面とは、第１の交接線で交接され、第１の交接線は、第１の基準円と接することを特徴とする。
【０００８】
請求項３の考案では、第２のインボリュート輪郭は、第２の基準円により形成され、第２の湾曲側面と底面とは、第２の交接線で交接され、第２の交接線は、第２の基準円と接することを特徴とする。
【０００９】
請求項４の考案では、第１のインボリュート輪郭および第２のインボリュート輪郭は、それぞれ第１の基準円および第２の基準円により形成され、第１の基準円の半径と第２の基準円の半径とは等しいことを特徴とする。
【００１０】
請求項５の考案では、溝は、平面で対称であり、平面により均等に二等分されることを特徴とする。
【００１１】
請求項６の考案では、溝の少なくとも１つは、ＵＳＧＡ規格の溝幅を有し、ＵＳＧＡ規格の溝幅は、２つの接点間の直線距離であり、２つの接点を通過する対向した接線は、それぞれ第１の湾曲側面および第２の湾曲側面と接し、２つの接線と打球面とのなす角度は３０度であり、ＵＳＧＡ規格の溝幅は、０．０３７インチ以下であることを特徴とする。
【００１２】
請求項７の考案では、溝の少なくとも１つは、ＵＳＧＡ規格の溝深さを有し、ＵＳＧＡ規格の溝深さは、打球面の延長線と底面の最低点との間の垂直距離であり、ＵＳＧＡ規格の溝深さは０．０２０インチ以下であることを特徴とする。
【００１３】
請求項８の考案では、溝の少なくとも１つは、直線と底面の法線との間の角度を有し、直線は、第１のインボリュート輪郭または第２のインボリュート輪郭と上端点で接し、法線と底面とは垂直であり、角度は、２８．５度以上４０度以下であることを特徴とする。
【００１４】
請求項９の考案では、底面は平面状であることを特徴とする。
【００１５】
請求項１０の考案では、底面は曲面状であることを特徴とする。
【００１６】
請求項１１の考案では、底面と第１の湾曲側面との間に設けられるか、底面と第２の湾曲側面との間に設けられ、第１のインボリュート輪郭および第２のインボリュート輪郭と異なる輪郭を有する下部接続領域をさらに備えることを特徴とする。
【００１７】
請求項１２の考案では、打球面と第１の湾曲側面との間に設けられるか、打球面と第２の湾曲側面との間に設けられ、第１のインボリュート輪郭および第２のインボリュート輪郭と異なる輪郭を有する上部接続領域をさらに備えることを特徴とする。
【考案の効果】
【００１８】
本考案のゴルフクラブヘッドは、ゴルフボールを打撃するときのバックスピン量を向上させることができるため、ゴルフプレーヤの試合での成績を向上させて競争力を高めることができる。さらに、本考案のゴルフクラブヘッドは、溝の開口部の幅が同じ場合、従来のＶ字状またはＵ字状の溝の底部幅よりも大きいため、溝の加工が容易である上、加工カッターにより損壊される虞がない。
【図面の簡単な説明】
【００１９】
【図１】本考案の一実施形態によるゴルフクラブヘッドを示す正面図である。
【図２】図１の溝を示す斜視図である。
【図３】図１の線３−３に沿った断面図である。
【図４】本考案の他の実施形態による溝を示す断面図である。
【図５Ａ】本考案の一実施形態による溝の断面形状を示すグラフである。
【図５Ｂ】従来の溝の断面形状を示すグラフである。
【考案を実施するための形態】
【００２０】
以下、本考案の実施形態を図面に基づいて説明する。なお、これにより本考案が限定されるものではない。
【００２１】
（一実施形態）
図１は、本考案の一実施形態によるゴルフクラブヘッド１００を示す正面図である。ゴルフクラブヘッド１００は、フェースプレート１０２および本体１０４の二つの部分を含む。フェースプレート１０２は、ゴルフクラブヘッド１００の底部１０６に対して平行に形成され、互いに略水平な複数の溝１０２ｂが設けられた打球面１０２ａを有する。
【００２２】
本実施形態の本体１０４は、前述のゴルフクラブヘッド１００のフェースプレート１０２以外の部分を含む。本体１０４は、炭素鋼（例えば、Ｓ２０ＣまたはＳ２５Ｃの炭素鋼）、ステンレス鋼（例えば、１７−４ＰＨのステンレス鋼）、合金鋼、鉄−マンガン−アルミニウム合金、ニッケル基合金、鋳鉄、超合金鋼、純チタン、チタン合金（例えば、Ｔｉ６Ａｌ４ＶまたはＣＰＴｉチタン合金）、アルミニウム合金、マグネシウム合金、銅合金などの金属材料により製造する。フェースプレート１０２および本体１０４は、鋳造、粉末焼結、鍛造、機械加工などの製造方法により一体成形させてもよい。さらに、本実施形態のゴルフクラブヘッド１００は、ロストワックス法を利用し、フェースプレート１０２を配置させることが可能な開口部を有する本体１０４を鋳造した後、本体１０４の開口部にフェースプレート１０２を設置する。フェースプレート１０２と本体１０４とを溶接させる場合、溶接した後のゴルフクラブヘッド１００へさらに研削（ｇｒｉｎｄｉｎｇ）、研磨（ｐｏｌｉｓｈｉｎｇ）、時効硬化（ａｇｅ  ｈａｒｄｅｎｉｎｇ）などの工程を行ってもよい。本体１０４に溶接するフェースプレート１０２は、押出（ｅｘｔｒｕｓｉｏｎ）、鋳造または鍛造により製造してもよい。他の実施形態では、ゴルフクラブヘッド１００は、前述のフェースプレート１０２と本体１０４とを一体成形するなど他の態様で形成してもよい。
【００２３】
さらに、ゴルフクラブヘッドの重心位置を調整するために、ゴルフクラブヘッドはバランスウェイトをさらに含んでもよい。このバランスウェイトは、比重がゴルフクラブヘッド本体よりも大きな材料（例えば、タングステン合金、タングステン−鉄−ニッケル合金、銅合金またはこれらの組み合わせ）により、鋳造、鍛造、粉末冶金などの方法を利用して製造してもよい。
【００２４】
図２は、図１の溝１０２ｂを示す斜視図である。図３は、図１の線３−３に沿った断面図である。図３に示すように、溝１０２ｂは、湾曲側面１０２ｃ、１０２ｄおよび底面１０２ｅを含む。湾曲側面１０２ｃと湾曲側面１０２ｄとは、互いに対向するように底面１０２ｅの両側に位置する（即ち、底面１０２ｅが湾曲側面１０２ｃおよび湾曲側面１０２ｄと接続している。）。図２に示すように、湾曲側面１０２ｃ、１０２ｄは、それぞれインボリュート輪郭（ｉｎｖｏｌｕｔｅ  ｐｒｏｆｉｌｅ）１０２ｆ、１０２ｇに形成され、インボリュート輪郭１０２ｆとインボリュート輪郭１０２ｇとの間隔は、底面１０２ｅから打球面１０２ａに向かうに従い徐々に大きくなっている。
【００２５】
図２および図３を同時に参照する。図２および図３に示すように、インボリュート輪郭１０２ｆ、１０２ｇは、それぞれＣbおよび基準円（図示せず）により形成され、湾曲側面１０２ｃ、１０２ｄは、それぞれ底面１０２ｅと交接線１０２ｈ、１０２ｉで交接され（図２に示す）、交接線１０２ｈは基準円Ｃbと接し、交接線１０２ｉはもう一つの基準円と接している。
【００２６】
以下、インボリュート輪郭１０２ｆを例に、インボリュート輪郭１０２ｆ、１０２ｇの形成を説明する。図３に示すように、インボリュート輪郭１０２ｆの座標は以下の数式（１）および数式（２）で表される。
【００２７】
【数１】
0003152179.tif 000003
【００２８】
【数２】
0003152179.tif 000004
【００２９】
座標の原点は基準円Ｃbの円心Ｏであり、ｒbは基準円Ｃbの半径であり、αはインボリュート輪郭１０２ｆと基準円Ｃbとの間の圧力角である。基準円Ｃbの円心Ｏの位置および半径ｒbの大きさを決定すると、所望のインボリュート輪郭１０２ｆを形成することができる。インボリュート輪郭１０２ｇとインボリュート輪郭１０２ｆとの展開方向は反対であるため、インボリュート輪郭１０２ｇを形成するとき、インボリュート輪郭１０２ｇの座標軸ｘの正負の向きは、インボリュート輪郭１０２ｆの座標軸ｘの正負の向きと反対である。インボリュートで溝１０２ｂの湾曲側面１０２ｃおよび湾曲側面１０２ｄの縦向輪郭線が形成されているため、打球過程においてゴルフボールと溝１０２ｂとが噛み合って回転する接触点がピッチ円（図示せず）上に維持され、滑動現象が発生することを防ぐことができる上、回転をスムーズに行いゴルフボールのバックスピン量を向上させることもできる。さらに、湾曲側面１０２ｃと打球面１０２ａとの接合部分の縦向輪郭線に対するＵＳＧＡに準拠する規格は以下の通りである。まず、半径がそれぞれ０．０１０インチおよび０．０１１インチの２つの同心円（図示せず）を考慮し、これら２つの同心円を図３中に置くと、半径が０．０１０インチの円が湾曲側面１０２ｃおよび打球面１０２ａの縦向輪郭線と同時に接し、湾曲側面１０２ｃと打球面１０２ａとの接合部分の縦向輪郭線が半径０．０１０インチの円の外側に突出される。そのため、この溝１０２ｂはＵＳＧＡの規格に準拠しない。図３に示すように、溝１０２ｂのインボリュート輪郭１０２ｆの展開方向と同心円の屈曲方向とを一致させると、溝１０２ｂをＵＳＧＡの規格に準拠させることが容易になる。
【００３０】
本実施形態では、インボリュート輪郭１０２ｆを形成する基準円Ｃbの半径ｒbがインボリュート輪郭１０２ｇを形成する基準円（図示せず）の半径の大きさに等しく、図３に示すように、溝１０２ｂは実質上平面１０８で対称に形成されている。図２および図３に示すように、底面１０２ｅは平面１０８で２つに等分割されるためＵＳＧＡの規格に準拠する。しかし本発明はこれだけに限定されるわけではなく、他の実施形態では、インボリュート輪郭１０２ｆを形成する基準円Ｃbの半径ｒbと、インボリュート輪郭１０２ｇを形成する基準円（図示せず）の半径とが異なる大きさであったり、溝１０２ｂが平面１０８により対称的な形状で底面１０２ｅを２つに等分割しなくてもよい。
【００３１】
図３に示すように、ゴルフクラブヘッド１００の溝１０２ｂは、ＵＳＧＡ規格の溝幅ｄを有する。ＵＳＧＡ規格の溝幅ｄとは、接点Ｔ１と接点Ｔ２との間の直線距離であり、接点Ｔ１および接点Ｔ２を通過する対向した接線１１０ａおよび接線１１０ｂは、それぞれ湾曲側面１０２ｃおよび湾曲側面１０２ｄと接し、接線１１０ａと打球面１０２ａとのなす角度θ１は３０度であり、接線１１０ｂと打球面１０２ａとのなす角度θ２も３０度である。ＵＳＧＡ規格の溝幅ｄは０．０３７インチ（０．９３９８ｍｍ）以下である。
【００３２】
図３を参照する。図３に示すように、ゴルフクラブヘッド１００の溝１０２ｂは、ＵＳＧＡ規格の溝深さＤを有する。ＵＳＧＡ規格の溝深さＤとは、打球面１０２ａの延長部分（例えば、図３の点線部分に示す。）と、底面１０２ｅの最低点との間の垂直距離を表す。本実施形態のＵＳＧＡ規格の溝深さＤは、０．０２０インチ（０．５０８ｍｍ）以下である。
【００３３】
図３に示すように、溝１０２ｂのインボリュート輪郭１０２ｆまたはインボリュート輪郭１０２ｇには直線（図示せず）が設けられ、この直線はインボリュート輪郭１０２ｆまたはインボリュート輪郭１０２ｇと接し、インボリュート輪郭１０２ｆまたはインボリュート輪郭１０２ｇの上端点を通過し、直線とインボリュート輪郭との接点がフェースプレートの表面と一点で交わるとともに、溝１０２ｂの底面１０２ｅ上に、底面１０２ｅと垂直になるように法線（図示せず）が位置している。上述の直線と法線とのなす角度は、２８．５度以上４０度以下である。
【００３４】
図２および図３に示すように、本実施形態の底面１０２ｅは実質上平面状であるが、これだけに限定されるわけではなく、他の実施形態では曲面状でもよい。
【００３５】
図４は、本考案の他の実施形態による溝を示す断面図である。この溝は、図３の溝１０２ｂと同様に、湾曲側面１０２ｃ、１０２ｄおよび底面１０２ｅを含む。図４に示すように、湾曲側面１０２ｃ、１０２ｄは、インボリュート輪郭１０２ｆ、１０２ｇをそれぞれ有する。図４の溝は、底面１０２ｅと湾曲側面１０２ｃとの間に設けられた下部接続領域１１２ａと、底面１０２ｅと湾曲側面１０２ｄとの間に設けられた下部接続領域１１２ｂと、をさらに含む点が図３の溝１０２ｂと異なる。下部接続領域１１２ａ、１１２ｂは曲面形状であり、下部接続領域１１２ａ、１１２ｂの曲面形状の輪郭は、インボリュート輪郭１０２ｆ、１０２ｇと異なる。さらに、図４の溝は、打球面１０２ａと湾曲側面１０２ｃとの間に設けられた上部接続領域１１４ａと、打球面１０２ａと湾曲側面１０２ｄとの間に設けられた上部接続領域１１４ｂと、をさらに含む。上部接続領域１１４ａ、１１４ｂのそれぞれは曲面であり、上部接続領域１１４ａ、１１４ｂの曲面の輪郭は、インボリュート輪郭１０２ｆ、１０２ｇの形状と異なる。上述したことから分かるように、溝が付加的に含まれる下部接続領域１１２ａおよび上部接続領域１１４ａの輪郭を表す数式は、インボリュート輪郭１０２ｆを表す数式と異なり、下部接続領域１１２ｂおよび上部接続領域１１４ｂの輪郭を表す数式は、インボリュート輪郭１０２ｇを表す数式と異なる。さらに、本実施形態の溝には、下部接続領域１１２ａ、１１２ｂおよび上部接続領域１１４ａ、１１４ｂが形成されているが、他の実施形態では必要に応じて上述の接続領域の一部だけが形成されてもよく、必ずしも全ての接続領域が溝中に含まれていなくともよい。
【００３６】
まず、ゴルフクラブヘッドの本体および打球面を鋳造製造する。本体は、トゥ部（ｔｏｅ）、ソール部（ｓｏｌｅ）、上部（ｔｏｐ）およびヒール部（ｈｅｅｌ）を含む。続いて、フェースプレートの打球面に、カッターにより加工を行い、複数の溝を形成するが、この溝は鋳造により形成してもよい。図５Ａは、それぞれの溝の形状を示すグラフである。図５Ａに示すように、ゴルフクラブヘッドの角度θ３は、それぞれ２８．５度、３５度および４０度である。それぞれのゴルフクラブヘッドのフェースプレートのインボリュート輪郭の上端点を通過する直線５０２は、インボリュート輪郭と接し、直線５０２とインボリュート輪郭との接点は、フェースプレートの表面と交わり、それぞれのゴルフクラブヘッドの底面は、底面と垂直に設けられた法線５０４を有し、法線５０４を直線５０２とインボリュート輪郭との接点まで水平移動させ、法線５０４と直線５０２とのなす角度をθ３にする。図５Ａに示すように、それぞれのゴルフクラブヘッドの溝は左右対称である（即ち、対向した２つのインボリュート輪郭が対称的に溝の両側面に設けられている。）。
【００３７】
さらに、従来の溝を有するゴルフクラブヘッドを製造し、それぞれの溝の断面形状を図５Ｂに示すように形成する。図５Ｂに示すように、ゴルフクラブヘッドの角度θ４は、それぞれ２８．５度、３５度および４０度である。角度θ４は、直線５０６と法線５０８とのなす角度であり、直線５０６および法線５０８は、上述した直線５０２および法線５０４と類似しているため、ここでは繰り返して述べない。図５Ｂに示すように、このゴルフクラブヘッドのそれぞれの溝は左右対称である。
【００３８】
下記の表１は、上述した本実施例のインボリュート輪郭を有するゴルフクラブヘッドおよび従来の溝を有するゴルフクラブヘッドの溝の断面積を示す。表１に示すように、ゴルフクラブヘッドのそれぞれの溝の２つの上端点の間隔は同じである（即ち、ゴルフクラブヘッドのそれぞれの溝は、開口部の幅が同じである。）。表１から分かるように、本実施例のインボリュート輪郭の溝は断面積が大きく、インボリュート輪郭が湾曲曲線であるため、本実施例のインボリュート輪郭の溝の底面幅は、従来の溝の底面幅よりも大きい。そのため、本実施例のインボリュート輪郭の溝は、加工が容易である上、加工カッターにより損壊される虞がない。
【００３９】
【表１】
0003152179.tif 000005
【００４０】
下記の表２は、打撃された後のゴルフボールのバックスピン量を実際に測定した結果である。このバックスピン量の単位はＲＰＭ（Ｒｅｖｏｌｕｔｉｏｎ  Ｐｅｒ  Ｍｉｎｕｔｅ）であり、ゴルフボールの打撃に用いたゴルフクラブヘッドは、上述の実施例のインボリュート輪郭の溝のゴルフクラブヘッドおよび従来の溝のゴルフクラブヘッドである。この実験は、ゴルフクラブのスイング速度を３０ｍ／秒にし、ゴルフクラブヘッドの打球角度を５０度〜６０度の間にして行った。
【００４１】
表３は、表２の従来の溝を有するゴルフクラブヘッドを用いてゴルフボールを打撃した後のゴルフボールのバックスピン量の記録値を比べた表である。表４は、表２の本実施例のインボリュート輪郭の溝を有するゴルフクラブヘッドを用いてゴルフボールを打撃した後のゴルフボールのバックスピン量の記録値を比べた表である。
【００４２】
【表２】
0003152179.tif 000006
【００４３】
【表３】
0003152179.tif 000007
【００４４】
【表４】
0003152179.tif 000008
【００４５】
表３および表４に示すように、打球角度が同一の場合、溝の角度θ３、θ４が大きくなるに従い、打撃されたゴルフボールのバックスピン量が小さくなり、溝の角度θ３、θ４が同一の場合、打球角度が大きくなるに従い、打撃されたゴルフボールのバックスピン量は小さくなった。
【００４６】
表３に示すように、ゴルフボールが従来の溝を有するゴルフクラブヘッドを用いてゴルフボールの打撃を行うと、打球角度が５０度の場合、溝の角度θ４は２８．５度から４０度に変化し、そのゴルフボールのバックスピン量が１９．７％低下し、打球角度が６０度の場合、ゴルフボールのバックスピン量が最高３０．０％低下した。
【００４７】
表４に示すように、本実施例のインボリュート輪郭の溝を有するゴルフクラブヘッドを用いてゴルフボールの打撃を行うと、打球角度が５０度の場合、溝の角度θ３は２８．５度から４０度に変化し、ゴルフボールのバックスピン量が６．５％低下し、打球角度が６０度の場合、ゴルフボールのバックスピン量が１０．０％低下した。
【００４８】
上述したことから分かるように、溝の角度θ３、θ４が２８．５度〜４０度の間で変化しても、本実施例のバックスピン量の損失は、最大で３０．０％に達する従来技術と異なり、１０％以下に低減させることができる。バックスピン量が最低となるように角度を組み合わせた条件下では、本実施例のバックスピンが６０９ＲＰＭから９２７ＲＰＭに向上し、バックスピン量が５２．２％向上した。上述したことから分かるように、本考案は、ゴルフボールの打撃に必要なバックスピン量を有効に得ることができる。さらに、本考案はインボリュート輪郭が曲線であるため、ＵＳＧＡの規格に準拠させることができる。
【００４９】
当該分野の技術を熟知する者が理解できるように、本考案の好適な実施形態を前述の通り開示したが、これらは決して本考案を限定するものではない。本考案の主旨と範囲を脱しない範囲内で各種の変更や修正を加えることができる。従って、本考案による実用新案登録請求の範囲は、このような変更や修正を含めて広く解釈されるべきである。
【符号の説明】
【００５０】
３３：断面線、１００：ゴルフクラブヘッド、１０２：フェースプレート、１０２ａ：打球面、１０２ｂ：溝、１０２ｃ：湾曲側面、１０２ｄ：湾曲側面、１０２ｅ：底面、１０２ｆ：インボリュート輪郭、１０２ｇ：インボリュート輪郭、１０２ｈ：交接線、１０２ｉ：交接線、１０４：本体、１０６：底部、１０８：平面、１１０ａ：接線、１１０ｂ：接線、１１２ａ：下部接続領域、１１２ｂ：下部接続領域、１１４ａ：上部接続領域、１１４ｂ：上部接続領域、５０２：直線、５０４：法線、５０６：直線、５０８：法線、Ｃb：基準円、Ｄ：ＵＳＧＡ規格の溝深さ、ｄ：ＵＳＧＡ規格の溝幅、Ｏ：円心、ｒb：半径、Ｔ１：接点、Ｔ２：接点、α：圧力角、θ１：角度、θ２：角度、θ３：角度、θ４：角度
【図１】
0003152179.tif 000009
【図２】
0003152179.tif 000010
【図３】
0003152179.tif 000011
【図４】
0003152179.tif 000012
【図５Ａ】
0003152179.tif 000013
【図５Ｂ】
0003152179.tif 000014